(57)【要約】【課題】通信区間の変動により受信機に送信する電波が弱電界である場合であっても、音声信号に雑音信号等を含めた音声通知処理の可能なデジタル無線通信システム及びデジタル受信機を提供する。【解決手段】通信部１には、送信機からアンテナを介して受信した受信信号を増幅し、復調させ復調信号を取り出し、さらに信号強度を示す受信電圧のＲＳＳＩを取り出している 。弱電界判定部２は、通信部１を通じて取り出した復調信号のエラー訂正処理回数を判定するエラー回数判定部２ａと、通信部１を通じて取り出したＲＳＳＩから電圧レベルを判定する電圧レベル判定部２ｂを備えている。このエラー回数判定部２ａと電圧レベル判定部２ｂの少なくとも一方により弱電界状態にあると判断されると、ノイズ信号生成部３ｂが、弱電界判定部２により判定され弱電界の属する区分に応じて、レベル分けした擬似雑音信号を生成し、この擬似雑音信号を音声信号生成部３ａにより生成した音声信号に加算する。【選択図】図１
2009010857.tif 000002
【特許請求の範囲】
【請求項１】
音声の入力を受け、この音声を変調した信号を送信する回路を備えた送信機と、
当該送信機から送信される信号を受信し、復調し、生成した音声信号を増幅出力する回路を備えた受信機と、を有するデジタル無線通信システムにおいて、
前記受信機は、
前記送信機から受信した信号の電界強度を検出し、弱電界を判定する弱電界判定部と、
前記弱電界判定部により弱電界であると判定された場合に、前記増幅出力する音声信号に対しノイズ信号を加算するノイズ信号生成手段と、を有することを特徴とするデジタル無線通信システム。
【請求項２】
前記弱電界判定部は、
前記送信機から受信した信号をもとに、復調する信号のエラー発生回数を検知し、当該エラー発生回数が所定のエラー閾値を上回る場合に、弱電界であると判定するエラー回数判定手段を備え、
前記ノイズ信号生成手段は、前記エラー回数判定手段により弱電界であると判定された場合に、前記増幅出力する音声信号に対しノイズ信号を加算することを特徴とする請求項１に記載のデジタル無線通信システム。
【請求項３】
前記弱電界判定部は、
前記送信機から受信した信号から信号強度を示す受信電圧を取り出し、当該受信電圧が所定の電圧閾値を下回る場合に弱電界であると判定する電圧レベル判定手段を備え、
前記ノイズ信号生成手段は、前記電圧レベル判定手段により弱電界であると判定された場合に、前記増幅出力する音声信号に対しノイズ信号を加算することを特徴とする請求項１又は２に記載のデジタル無線通信システム。
【請求項４】
前記ノイズ信号が、擬似雑音信号であって、
前記ノイズ信号生成手段は、前記弱電界判定部により判定された弱電界の大きさに応じて擬似雑音信号量を調整することを特徴とする請求項１〜３のいずれか１項に記載のデジタル無線通信システム。
【請求項５】
前記受信機は、
表示部と、
前記弱電界判定部により弱電界であると判定されると前記表示部にその旨を通知するよう制御する制御部と、を有することを特徴とする請求項１〜４のいずれか１項に記載のデジタル無線通信システム。
【請求項６】
前記制御部は、前記送信機から受信した信号を復調したデジタル信号を外部機器に出力するデジタル信号出力手段を有することを特徴とする請求項１〜５のいずれか１項に記載のデジタル無線通信システム。
【請求項７】
信号を受信し、復調し、増幅出力する回路を備えたデジタル受信機において、
前記受信した信号の電界強度を検出し、弱電界を判定する弱電界判定部と、
前記弱電界判定部により弱電界であると判定された場合に、前記増幅出力する信号に対しノイズ信号を加算するノイズ信号生成手段と、を有することを特徴とするデジタル受信機。
【請求項８】
前記弱電界判定部は、
前記受信した信号をもとに、復調する信号のエラー発生回数を検知し、当該エラー発生回数が所定のエラー閾値を上回る場合に、弱電界であると判定するエラー回数判定手段を備え、
前記ノイズ信号生成手段は、前記エラー回数判定手段により弱電界であると判定された場合に、前記増幅出力する信号に対しノイズ信号を加算することを特徴とする請求項７に記載のデジタル受信機。
【請求項９】
前記弱電界判定部は、
前記受信した信号から信号強度を示す受信電圧を取り出し、当該受信電圧が所定の電圧閾値を下回る場合に弱電界であると判定する電圧レベル判定手段を備え、
前記ノイズ信号生成手段は、前記電圧レベル判定手段により弱電界であると判定された場合に、前記増幅出力する信号に対しノイズ信号を加算することを特徴とする請求項７又は８に記載のデジタル受信機。
【請求項１０】
前記ノイズ信号が、擬似雑音信号であって、
前記ノイズ信号生成手段は、前記弱電界判定部により判定された弱電界の大きさに応じて擬似雑音信号量を調整することを特徴とする請求項７〜９のいずれか１項に記載のデジタル受信機。
【請求項１１】
表示部と、前記弱電界判定部により弱電界であると判定されると前記表示部にその旨を通知するよう制御する制御部と、を有することを特徴とする請求項７〜１０のいずれか１項に記載のデジタル受信機。
【請求項１２】
前記制御部は、前記受信した信号を復調したデジタル信号を外部機器に出力するデジタル信号出力手段を有することを特徴とする請求項７〜１１のいずれか１項に記載のデジタル受信機。
【発明の詳細な説明】
【技術分野】
【０００１】
本発明は、デジタル無線通信システム並びにデジタル受信機に係り、通信状況が弱電界であるときの受信機における音声信号処理の改良に関する。
【背景技術】
【０００２】
近年、各種会場やスタジオ等をはじめとする様々な分野で、ワイヤレスマイクを代表する無線方式の通信システムが広く普及している。従来のワイヤレスマイク等の無線通信システムは、音声信号をデジタル信号に変換する変調方式を採用し、単数あるいは複数の送信機に入力された音声をデジタル信号として受信機に伝送し、当該受信機側でアナログ変換することで音声として出力するものである。
【０００３】
なお、無線通信システムがデジタル方式を採用している場合、電波の伝搬上、システム上のノイズが増えても受信機から出力される音声に雑音が混じることなくはほとんどなく、所定の音声を再生することができる。そのため、出力される音声の質を高く保つことが可能であった。
【０００４】
一方、アナログ方式を採用する通信システムの場合では、送信機からの通信区間の範囲が広がると共に、受信機から出力される音声に雑音成分が含有されてしまう。すなわち、送信機と受信機との無線区間の距離が離れていくほど通信状態に悪影響を及ぼし、音声に含まれる雑音が増加することになる。しかしながら、当該システムでは、この出力される音声に含有される雑音成分の強弱で通信区間の範囲を把握することが可能であった。
【発明の開示】
【発明が解決しようとする課題】
【０００５】
ところで、デジタル方式を採用する無線通信システムは、上述の通り、受信機が送信機との通信区間にある場合に、雑音を含まない音声を出力することができるが、受信機が送信機からの当該通信区間を超える場所に位置すると、出力される音声には雑音成分が増えるのではなく音声が途絶えてしまう。そのため、アナログ方式を採用する通信システムのような、通信区間が離れていくと共に音声に含まれる雑音成分が増えていく通知方法を利用することができないため、使用する市場によっては逆に使い勝手が悪い。また、通信区間の限界間際であっても雑音成分が出力される音声に加算されるわけではないので、受信機に対して適当な通信区間を通知することができないでいた。
【０００６】
本発明は、かかる事情に鑑みて提案されたものであり、その目的は、デジタル方式を採用する無線通信システム並びに受信機に係り、通信区間の変動により受信機に送信する電波が弱電界である場合であっても、音声信号に雑音信号等を含めた音声通知処理の可能なデジタル無線通信システム及びデジタル受信機を提供することにある。
【課題を解決するための手段】
【０００７】
前記の目的を達成するために、請求項１の発明は、音声の入力を受け、この音声を変調した信号を送信する回路を備えた送信機と、当該送信機から送信される信号を受信し、復調し、生成した音声信号を増幅出力する回路を備えた受信機と、を有するデジタル無線通信システムにおいて、前記受信機は、前記送信機から受信した信号の電界強度を検出し、弱電界を判定する弱電界判定部と、前記弱電界判定部により弱電界であると判定された場合に、前記増幅出力する音声信号に対しノイズ信号を加算するノイズ信号生成手段と、を有することを特徴とする。
【０００８】
請求項７の発明は、請求項１の発明をデジタル受信機の見方から記載したものであり、信号を受信し、復調し、増幅出力する回路を備えたデジタル受信機において、前記受信した信号の電界強度を検出し、弱電界を判定する弱電界判定部と、前記弱電界判定部により弱電界であると判定された場合に、前記増幅出力する信号に対しノイズ信号を加算するノイズ信号生成手段と、を有することを特徴とする。
【０００９】
以上のような態様によれば、弱電界判定部により受信機で受信した電波信号の電界強度が弱電界であると判定された場合であっても、アナログ方式を採用した場合と同様に、雑音等のノイズ信号を音声信号に付加することができるので、ユーザに対して通信区間を適切に通知することができる。つまり、通信区間が途切れる間際であっても、一般的なデジタル通信システムのように急に音声が途切れるのではなく、より大きなノイズ信号を音声に加算することで通信区間の限界を通知することが可能となる。
【００１０】
請求項２の発明は、請求項１に記載のデジタル無線通信システムにおいて、前記弱電界判定部は、前記送信機から受信した信号をもとに、復調する信号のエラー発生回数を検知し、当該エラー発生回数が所定のエラー閾値を上回る場合に、弱電界であると判定するエラー回数判定手段を備え、前記ノイズ信号生成手段は、前記エラー回数判定手段により弱電界であると判定された場合に、前記増幅出力する音声信号に対しノイズ信号を加算することを特徴とする。
【００１１】
請求項８の発明は、請求項２の発明をデジタル受信機の見方から記載したものであり、請求項７に記載のデジタル受信機において、前記弱電界判定部は、前記受信した信号をもとに、復調する信号のエラー発生回数を検知し、当該エラー発生回数が所定のエラー閾値を上回る場合に、弱電界であると判定するエラー回数判定手段を備え、前記ノイズ信号生成手段は、前記エラー回数判定手段により弱電界であると判定された場合に、前記増幅出力する信号に対しノイズ信号を加算することを特徴とする。
【００１２】
請求項３の発明は、請求項１又は２に記載のデジタル無線通信システムにおいて、前記弱電界判定部は、前記送信機から受信した信号から信号強度を示す受信電圧を取り出し、当該受信電圧が所定の電圧閾値を下回る場合に弱電界であると判定する電圧レベル判定手段を備え、前記ノイズ信号生成手段は、前記電圧レベル判定手段により弱電界であると判定された場合に、前記増幅出力する音声信号に対しノイズ信号を加算することを特徴とする。
【００１３】
請求項９の発明は、請求項３の発明をデジタル受信機の見方から記載したものであり、請求項７又は８に記載のデジタル受信機において、前記弱電界判定部は、前記受信した信号から信号強度を示す受信電圧を取り出し、当該受信電圧が所定の電圧閾値を下回る場合に弱電界であると判定する電圧レベル判定手段を備え、前記ノイズ信号生成手段は、前記電圧レベル判定手段により弱電界であると判定された場合に、前記増幅出力する信号に対しノイズ信号を加算することを特徴とする。
【００１４】
以上のような態様によれば、弱電界判定部による弱電界の判定処理は、復調信号によるエラー発生回数や信号強度である受信電圧に基づいて判断することができるので、受信機が受信する電波信号の電界強度を正確に検出することが可能となる。そのため、弱電界時の判断精度が増し、出力する音声信号に加算するノイズ信号によって、ユーザに対し厳密な通信区間を通知することできる。
【発明の効果】
【００１５】
以上のように本発明によれば、受信機と送信機との通信区間の変動によって受信機が受け取る送信機からの電波信号が弱電界を示す場合であっても、アナログ方式を採用する通信システムと同様に、音声に雑音成分を付加することができる。これにより、アナログ方式を採用する無線通信システムと同様、あるいはそれ以上の使い勝手を実現することができ、受信機に対して適当な通知区間を伝達することが可能なデジタル無線通信システムを提供することができる。
【発明を実施するための最良の形態】
【００１６】
［１．本実施形態］
次に、本発明を実施するための最良の実施形態について、図１及び２を参照して以下に詳述する。また、無線通信システムにおける受信機の構成を図１に示すが、受信機に電波信号を送信する送信機の構成は、一般的なものと同様で、音声入力用の例えばマイクロホンと、入力された音声を増幅する増幅器と、アナログ信号をデジタル化するＡ／Ｄ変換部と、デジタル信号を伝送処理し受信機に対して送信する通信部等を備えるものである。なお、雑音信号加算処理を行う受信機の作用を図２のフローチャートに示す。
【００１７】
［１．１．構成］
まず、受信機は、図１に示す通り、送信機からの信号をアンテナを介して受信し、復調する通信部１と、当該通信部１にて復調した復調信号と受信電圧に基づいて信号の電界強度を検出し、弱電界時であるかを判定する弱電界判定部２と、音声信号等を生成する音声生成部３と、生成された音声信号についてアナログ化などの処理を行うＤ／Ａ変換部４とから構成されている。さらに、信号化された音声を出力するための音声出力部である増幅器５も備え、スピーカー等に出力している。
【００１８】
また、ＣＰＵなどから構成される制御部６を備え、当該制御部６が、液晶表示部やブザー通知部を有する通知操作部７を制御している。なお、この制御部６は、アナログ信号によるのではなく、外部機器等に直接デジタル信号を出力することができるデジタル信号出力機能を有している。
【００１９】
通信部１には、ＲＦ回路が用いられており、送信機からアンテナを介して受信した受信信号を増幅し、所望の信号を選択することでさらに信号振幅を増幅させ、電波に載せられた復調信号であるデジタル情報を抽出する。また、この通信部１は、送信機から受信した受信信号から当該信号の強度を示す受信電圧であるＲＳＳＩ（Ｒｅｃｅｉｖｅｄ Ｓｉｇｎａｌ Ｓｔｒｅｎｇｔｈ Ｉｎｄｉｃａｔｏｒ）を取り出している 。
【００２０】
弱電界判定部２は、ＦＰＧＡ（Ｆｉｅｌｄ Ｐｒｏｇｒａｍｍａｂｌｅ Ｇａｔｅ Ａｒｒａｙ）などから構成され、通信部１を通じて取り出した復調信号のエラー訂正処理回数を判定するエラー回数判定部２ａと、通信部１を通じて取り出したＲＳＳＩから電圧レベルを判定する電圧レベル判定部２ｂを備えている。なお、この弱電界判定部２は、エラー回数判定部２ａと電圧レベル判定部２ｂの少なくとも一方において、下記のような動作処理により弱電界状態にあると判断されると、送信機から受信した電波信号が弱電界であると判定する。
【００２１】
具体的には、エラー回数判定部２ａは、通信部１で取り出した復調信号のエラーの発生回数を検知し、当該発生回数が所定のエラー閾値を超える場合に、弱電界状態であると判定する。また、電圧レベル判定部２ｂは、通信部で取り出したＲＳＳＩを検知し、この受信電圧が所定の電圧閾値である限界電圧の範囲内であるかを判定し、範囲内である場合に弱電界状態であると判定する。
【００２２】
なお、弱電界判定部２は、弱電界の判定に際し、復調信号のエラー発生回数によって弱電界を複数段階に区分しておき、また、受信電圧であるＲＳＳＩの大きさに応じて弱電界を複数段階に区分しておき、実際に判定された弱電界がどの区分に属するかも判断する機能を有している。
【００２３】
また、弱電界部２は、復調信号のエラー訂正処理回数を判定するエラー回数判定部２ａ又はＲＳＳＩから電圧レベルを判定する電圧レベル判定部２ｂのどちらかを備えた構成も包含する。つまり、エラー回数判定部２ａを備える場合には、検知した復調信号のエラーの発生回数が所定のエラー閾値を超える場合に弱電界状態であると判定し、また電圧レベル判定部２ｂを備える場合には、通信部で取り出したＲＳＳＩが所定の電圧閾値である限界電圧の範囲内である場合に弱電界状態であると判定する。
【００２４】
音声生成部３は、音声信号生成部３ａとノイズ信号生成部３ｂとからなり、ＤＳＰなどから構成されている。音声生成部３による具体的な処理は、音声信号生成部３ａが、通信部１を介して受信し、復調したデジタル信号から音声信号を生成し、さらに、ノイズ信号生成部３ｂが、弱電界判定部２により判定され弱電界の属する区分に応じて、レベル分けした擬似雑音信号を生成し、この擬似雑音信号を音声信号生成部３ａにより生成した音声信号に加算する。
【００２５】
なお、ノイズ信号生成部３ｂによる擬似雑音信号加算処理は、予め複数段階に区分された弱電界に応じて複数段階の雑音レベルを設定しておき、実際に判定された弱電界に対応する雑音レベルの擬似雑音信号を、音声信号生成部３ａを通じて生成した音声信号に加算するものである。例えば、複数段階に区分された電界強度が弱いほど、強い擬似雑音信号を加算するよう動作する。
【００２６】
上述した制御部６には、上記のような弱電界判定部２とノイズ信号生成部３ｂによる擬似雑音信号加算処理のＯＮ／ＯＦＦを設定するスイッチング素子が内蔵されている。これにより、送信機からの信号が弱電界時においても、擬似雑音信号を音声信号に加算したくない場合には、当該スイッチをＯＦＦに設定することで可能となる。なお、送信機側（図示しない）においても、受信機側による擬似雑音信号加算処理に対し、当該処理のＯＮ／ＯＦＦを設定するスイッチング素子を内蔵させる実施形態も本発明は包含する。
【００２７】
また、この制御部６により制御する液晶表示部やブザー通知部を有する通知操作部７にもスイッチング素子が内蔵されており、液晶表示やブザーによる通知のＯＮ／ＯＦＦを設定することが可能である。
【００２８】
［１．２．作用］
次に上記構成を備える本実施形態の作用として受信機の擬似雑音信号加算処理を図２のフローチャートを参照して説明する。なお、制御部６に内蔵されたスイッチング素子において、弱電界判定部２のノイズ信号生成部３ｂによる擬似雑音信号加算処理の設定がＯＮである場合を想定する。
【００２９】
まず、アンテナを介して通信部１により送信機からの送信信号を受信できるか否かを判断し（ＳＴＥＰ２０１）、当該通信部１が送信機からの送信信号を受信した場合には（ＹＥＳ）、受信した信号を増幅し、デジタル情報である復調信号と信号強度を示すＲＳＳＩとを取り出す（ＳＴＥＰ２０２）。一方、送信機からの送信信号の受信がない場合においても（ＮＯ）、通信部１は常時送信機からの信号の受け付けを行っている。
【００３０】
そして、通信部１により受信した信号から復調信号とＲＳＳＩを取り出すと、音声生成部３の音声信号生成部３ａが、音声信号を信号を生成する（ＳＴＥＰ２０３）。音声信号生成部３ａにより音声信号が生成されると、弱電界判定部２は、エラー回数判定部２ａと電圧レベル判定部２ｂを介し次のような弱電界の判定を行う。
【００３１】
まず、エラー回数判定部２ａが、通信部１により復調した復調信号の一定時間内におけるエラー発生回数を検知し、当該発生回数が所定のエラー閾値を超えるか否かを判定する（ＳＴＥＰ２０４）。すなわち、復調させる際にエラーが発生し訂正処理した回数を検知することで、当該回数が弱電界に相当する閾値を上回るものであるかが判断される。
【００３２】
復調信号のエラー発生回数が所定のエラー閾値を超える場合は（ＹＥＳ）、送信機との通信状況が弱電界であると判定され、ノイズ信号生成部３ｂにより、予めエラー回数を基に複数段階に区分された雑音レベルのうち取得した実際のエラー回数に対応する雑音レベルの擬似雑音信号を、生成した音声信号に加算する（ＳＴＥＰ２０６）。
【００３３】
一方、ＳＴＥＰ２０４において、復調信号のエラー発生回数が所定の閾値を超えない場合には（ＮＯ）、送信機から受信した信号が弱電界でないと判定されるので、電圧レベル判定部２ｂによる弱電界判定処理が開始される（ＳＴＥＰ２０５）。具体的には、電圧レベル判定部２ｂにおいて、通信部１を介して受信した信号強度を示すＲＳＳＩが所定の電圧閾値である限界電圧の範囲内であるかが判定される。
【００３４】
電圧レベル判定部２ｂが、受信したＲＳＳＩが所定の電圧閾値の範囲内であると判定した場合には（ＹＥＳ）、送信機との通信状況が弱電界であると判定される。そして、当該ノイズ信号生成部３ｂは、予め電圧レベルを基に複数段階に区分された雑音レベルのうち取得した実際の電圧であるＲＳＳＩに対応する雑音レベルの擬似雑音信号を、音声信号生成部３ａで生成した音声信号に加算する（ＳＴＥＰ２０６）。
【００３５】
ＳＴＥＰ２０６にて、音声信号生成部３ａにより生成された音声信号にノイズ信号生成部３ｂを通じて擬似雑音信号が加算されると、当該信号をＤ／Ａ変換部４がアナログ化し、アナログ化された音声が増幅器５を介してオーディオ機器等に出力される（ＳＴＥＰ２０７）。また、制御部６は、通知操作部７である液晶表示部を介して、弱電界時における雑音信号加算処理を行っている旨をユーザに通知するよう制御する。
【００３６】
ところで、ＳＴＥＰ２０５において、電圧レベル判定部２ｂが、受信したＲＳＳＩが所定の電圧閾値を上回るものであると判定した場合には（ＮＯ）、送信機からの電波信号が弱電界でないと判定され、ノイズ信号生成部３ｂにより擬似雑音信号が加算されることなくＳＴＥＰ２０３にて生成された音声信号が出力される（ＳＴＥＰ２０８）。すなわち、通信部１で復調した復調信号に基づいて音声信号生成部３ａが音声信号を生成し、当該音声信号に擬似雑音信号が加わることなくＤ／Ａ変換部４を介してアナログ化され、増幅器５を通じてオーディオ機器等に出力される。
【００３７】
なお、弱電界判定部２におけるエラー回数判定部２ａと電圧レベル判定部２ｂによる弱電界判定処理の順番は、上記実施形態に限定されず、先に電圧レベル判定部２ｂにより受信電圧であるＲＳＳＩから弱電界であるかを判定することも可能である。この場合、電圧レベル判定部２ｂによりＲＳＳＩが所定の閾値を超えると判断されるときに、エラー回数判定部２ａが通信部１を介して復調した復調信号のエラー発生回数から弱電界かどうかを判定することになる。
【００３８】
また、上記作用を有する弱電界判定部２では、エラー回数判定部２ａにより復調信号のエラーの発生回数が所定のエラー閾値を超えない場合に、電圧レベル判定部２ｂによるＲＳＳＩの電圧レベル判定が行われているが、エラー回数判定部２ａ又は電圧レベル判定部２ｂのどちらかのみにより電圧状況が弱電界であるかを判定する実施形態も本発明は包含する。
【００３９】
具体的には、例えば、エラー回数判定部２ａのみでしか弱電界判定が行われない場合には、上記作用のＳＴＥＰ２０４においてエラー回数判定部２ａにより実際のエラー発生回数が所定のエラー閾値を超えないと判定された場合であってもＳＴＥＰ２０５による電圧レベル判定部２ｂの弱電界判定処理は行われず、送信機からの電波信号が弱電界でないと判定される。一方、電圧レベル判定部２ｂのみでしか弱電界判定が行われない場合には、上記作用のＳＴＥＰ２０４のエラー回数判定部２ａによる弱電界判定処理を介することなく、電圧レベル判定部２ｂにより受信した信号強度を示すＲＳＳＩが所定の電圧閾値である限界電圧の範囲内であるかが判定される。
【００４０】
また、通知操作部７をブザー通知によるものとした場合には、擬似雑音信号を加えた音声出力の他に、雑音信号加算処理を行っている旨をユーザに対してブザーにより通知することも可能である。また、弱電界判定部２が通信状況が弱電界にあると判定する際には、弱電界である場合に、このブザー通知を駆動させることで、送信機との通信区間が適当でない旨をユーザに通知する態様も本発明は包含する。
【００４１】
さらに、制御部６は、外部機器等に直接デジタル信号を出力することができるデジタル信号出力機能を内蔵しているので、外部機器としてパトライトを使用した場合等において弱電界判定部２により弱電界であると判定された際には、当該パトライトを点灯させることによりユーザに対して通信区間が適当でない旨を通知することができる。つまり、エラー回数判定部２ａと電圧レベル判定部２ｂの少なくとも一方により、送信機との通信状況で弱電界であると判定された場合には、パトライトが点灯することでユーザに適切な通信区間を通知することが可能となる。
【００４２】
以上のような本実施形態によれば、受信機と送信機との通信区間の変動によって受信機が受け取る送信機からの電波信号が弱電界を示す場合であっても、アナログ方式を採用する通信システムと同様に、音声に雑音成分を付加することができる。これにより、アナログ方式を採用する無線通信システムと同様、あるいはそれ以上の使い勝手を実現することができ、受信機に対して適当な通知区間を伝達することが可能な無線通信システムを提供することができる。
【００４３】
［２．他の実施形態］
なお、本発明は、上記のような弱電界判定部２の処理を有する実施形態に限定するものではなく、以下のようなエラー回数判定部２ａと電圧レベル判定部２ｂの双方の処理を加味した上で弱電界であるか否かを判定する実施形態も包含する。具体的には、上記実施形態では、エラー回数判定部２ａと電圧レベル判定部２ｂの少なくとも一方により弱電界と判定された場合にノイズ信号生成部３ｂが擬似雑音信号を加算しているのに対し、本実施形態では、エラー回数判定部２ａと電圧レベル判定部２ｂの双方が弱電界と判定した場合に弱電界と判定する点で相違している。
【００４４】
図３のフローチャートを参照して、この実施形態における擬似雑音信号加算処理を以下に説明する。
まず、図２のフローチャートと同様に、アンテナを介して通信部１により送信機からの送信信号を受信すると、当該通信部１は、受信した信号を増幅し、デジタル信号に復調した復調信号と信号強度を示すＲＳＳＩとを取り出す（ＳＴＥＰ３０１〜３０２）。
【００４５】
そして、通信部１により受信した信号から復調信号とＲＳＳＩを取り出すと、音声生成部３の音声信号生成部３ａを通じて音声信号が生成され（ＳＴＥＰ３０３）、弱電界判定部２により、エラー回数判定部２ａと電圧レベル判定部２ｂの双方の処理により下記のような弱電界時の判定が行われる。
【００４６】
具体的には、エラー回数判定部２ａが、通信部１により復調した復調信号のエラー発生回数を検知し、当該発生回数が所定のエラー閾値を超えるか否かを判定する（ＳＴＥＰ３０４）。エラーの発生回数が所定のエラー閾値を超える場合には（ＹＥＳ）、電圧レベル判定部２ｂにより通信部１を介して受信したＲＳＳＩが所定の電圧閾値である限界電圧の範囲内であるかが判定される（ＳＴＥＰ３０５）。
【００４７】
電圧レベル判定部２ｂにより信号強度を示すＲＳＳＩが所定の電圧閾値である限界電圧の範囲内であると判定された場合には（ＹＥＳ）、送信機から受信した信号の電界強度が弱い、すなわち弱電界であると判断される。すなわち、弱電界判定部２による弱電界の判定においては、エラー回数判定部２ａと電圧レベル判定部２ｂの両方で所定の条件を満たさない限り、弱電界であると判定されない態様をとる。
【００４８】
一方、ＳＴＥＰ３０４において、エラー回数判定部２ａが、検知したエラー発生回数が所定のエラー閾値を下回ると判定する場合（ＮＯ）と、ＳＴＥＰ３０５において、電圧レベル判定部２ｂが、ＲＳＳＩが所定の電圧閾値を上回ると判定する場合（ＮＯ）には、双方とも受信した電波信号が弱電界でないと判定される。
【００４９】
ＳＴＥＰ３０５において、電圧レベル判定部２ｂにより信号強度を示すＲＳＳＩが所定の電圧閾値である限界電圧の範囲内であると判定された場合には弱電界時と判断されるので、ノイズ信号生成部３ｂが、予めエラー回数と電圧レベルを基に複数段階に区分された雑音レベルのうち、取得したエラー回数及び電圧レベルに対応する雑音レベルの擬似雑音信号を、生成した音声信号に加算する（ＳＴＥＰ３０６）。そして、ノイズ信号生成部３ｂにより、擬似雑音信号を加算した信号をＤ／Ａ変換部４がアナログ化し、アナログ化された音声が増幅器５を介してオーディオ機器等に出力される（ＳＴＥＰ３０７）。
【００５０】
これに対し、ＳＴＥＰ３０４及び３０５において弱電界時でないと判定された場合には、ノイズ信号生成部３ｂにより擬似雑音信号が加算されることなくＳＴＥＰ３０３にて生成された音声信号がＤ／Ａ変換部４を介してアナログ化され、増幅器５を通じてオーディオ機器等に出力される（ＳＴＥＰ３０８）。
【００５１】
また、上記の実施形態では、アナログ信号を採用する場合に生じる雑音信号に相当する擬似雑音を音声信号に付加するものであるが、本発明はこれに限定するのものでなく、他の音声信号を加算するものであってもよい。例えば、通信区間が離れると共に、すなわち通信状況が弱電界になると共にピッチ調整可能が音声信号（弱電界になる連れてピッチが早まる等）や、音量調整可能な音声信号（弱電界になる連れて音量が大きくなる等）が該当する。
【００５２】
また、本発明は、受信機において上記のような処理を行う実施形態に限定されず、雑音信号加算処理機能を備えた受信機に送信機能が内蔵された送受信機である場合の実施形態も包含する。具体的には、上記通信部を送受信兼用とし、音声入力用のマイク、Ａ/Ｄ変換部、変調機やＣＰＵ等を備えている。
【図面の簡単な説明】
【００５３】
【図１】本発明に係る擬似雑音信号加算処理を有する受信機の構成を示すブロック図。
【図２】本発明に係る受信機の擬似雑音信号加算処理例を示すフローチャート
【図３】本発明の他の実施形態における受信機の擬似雑音信号加算処理例を示すフローチャート
【符号の説明】
【００５４】
１…通信部
２…弱電界判定部
２ａ…エラー回数判定部
２ｂ…電圧レベル判定部
３…音声生成部
３ａ…音声信号生成部
３ｂ…ノイズ信号生成部
４…Ｄ／Ａ変換部
５…増幅器
６…制御部
６…当制御部
７…通知操作部
【図１】
2009010857.tif 000003
【図２】
2009010857.tif 000004
【図３】
2009010857.tif 000005